(57)【特許請求の範囲】
【請求項１】
吸収性物品を包装するためのプラスチックフィルム製包装袋であって、包装袋に吸収性物品を包装して形成される包装品が直方体形状をなしている包装袋において、
前面と、後面と、前面及び後面に連結された一対の側面と、を備え、これら側面は内向きに折り畳まれて前面と後面との間に配置され、
包装袋の上端周りにおいて横方向に拡がるシール部分と、包装品の側面を形成する側面部分と、シール部分と側面部分との間に位置して包装品の頂面を形成する頂面部分と、が形成され、
更に、頂面部分に、包装袋の一側縁から包装袋の他側縁まで横方向に延びる基準線に沿ってミシン目が形成され、
ミシン目よりも下方の頂面部分に位置する前面及び後面にそれぞれ、包装袋の一側縁周りから包装袋の他側縁周りまで横方向に延びる持ち手部材が取り付けられ、
各持ち手部分と前面及び後面とがそれぞれ、一対の取り付け領域を介して互いに取り付けられており、各取り付け領域が、下方に向かうにつれて包装袋の中央から両側へ拡開する傾斜部分を含み、
ミシン目の中央部分の切断部分が基準線に交互に逆向きの傾斜でもって交差するように延びていて、ミシン目の両側部分の切断部分が基準線にほぼ平行に延びている、
包装袋。
【請求項２】
包装品が縦長になるように包装袋の寸法が設定されている、請求項１に記載の包装袋。
【請求項３】
取り付け領域が熱シール部分から構成されており、熱シール部分は、持ち手部材、前面、前面に重なっている側面の部分との間と、持ち手部材、後面、後面に重なっている側面の部分との間とにそれぞれ形成される、請求項１または２に記載の包装袋。
【発明の詳細な説明】
【技術分野】
【０００１】
本発明は吸収性物品の包装袋に関する。
【背景技術】
【０００２】
紙オムツのような吸収性物品を包装するためのプラスチックフィルム製包装袋であって、包装袋に吸収性物品を包装して形成される外装パックが直方体形状をなしており、前面と、後面と、前面及び後面に連結された一対の側面と、を備え、これら側面は内向きに折り畳まれて前面と後面との間に配置され、外装パックの上端から下端まで延びるように外装パックの正面中央に携行用バンドを取り付けた、包装袋が公知である（特許文献１参照）。このようにすると、外装パックを手に持つだけでなく、肩に掛けて携行することが可能になる。
【先行技術文献】
【特許文献】
【０００３】
【特許文献１】特開平１０−２５８８４８号公報
【発明の概要】
【発明が解決しようとする課題】
【０００４】
一般に、包装袋の前面及び後面には、商品名、商品の使用方法、内容量、といった情報が例えば印刷によって表示されている。しかしながら、特許文献１では、携行用バンドが外装パックの上端から下端まで延びるように設けられるので、携行用バンドによってこれらの情報が隠されるおそれがある。
また、携行用バンドの一端が外装パックの封止部に固着されているので、携行用バンドに大きな引っ張り力が作用すると、外装パックの封止部が意図することなく開封されるおそれもある。外装パックが縦長の場合には、この問題はいっそう深刻である。
【課題を解決するための手段】
【０００５】
本発明によれば、吸収性物品を包装するためのプラスチックフィルム製包装袋であって、包装袋に吸収性物品を包装して形成される包装品が直方体形状をなしている包装袋において、前面と、後面と、前面及び後面に連結された一対の側面と、を備え、これら側面は内向きに折り畳まれて前面と後面との間に配置され、包装袋の上端周りにおいて横方向に拡がるシール部分と、包装品の側面を形成する側面部分と、シール部分と側面部分との間に位置して包装品の頂面を形成する頂面部分と、が形成され、更に、頂面部分に、包装袋の一側縁から包装袋の他側縁まで横方向に延びる基準線に沿ってミシン目が形成され、ミシン目よりも下方の頂面部分に位置する前面及び後面にそれぞれ、包装袋の一側縁周りから包装袋の他側縁周りまで横方向に延びる持ち手部材が取り付けられる、包装袋が提供される。
【発明の効果】
【０００６】
包装袋に設けられた情報を隠すことなくかつ包装袋の意図しない開封を阻止しつつ、包装品の持ち運びを容易にすることができる。
【図面の簡単な説明】
【０００７】
【図１】包装袋の平面図である。
【図２】包装袋の底面図である。
【図３】包装品の斜視図である。
【図４】包装品の頂面図である。
【図５】包装袋の部分拡大図である。
【図６】開封前の包装袋の使用状態を説明する図である。
【図７】開封後の包装袋の使用状態を説明する図である。
【図８】追加のミシン目を示す包装袋の平面図である。
【図９】別の追加のミシン目を示す包装袋の平面図である。
【図１０】本発明による別の実施例の包装袋の底面図である。
【図１１】持ち手部材が１シート部分に取り付けられる場合の取り付け領域の形成方法を示す概略図である。
【図１２】持ち手部材が２シート部分に取り付けられる場合の取り付け領域の形成方法を示す概略図である。
【発明を実施するための形態】
【０００８】
図１及び図２を参照すると、吸収性物品を包装するための包装袋１は、縦方向Ｌに細長い四角形をなしている。ここで、吸収性物品には、人用又はペット用の使い捨てオムツ、生理用ナプキン、尿吸収パッド等が含まれる。
【０００９】
包装袋１は、前面２と、後面３と、一対の側面４とを備える。各側面４は対応する縦方向Ｌの折り目線５を介して前面２及び後面３に連結される。各側面４は、縦方向Ｌの折り目線４Ｆ，５に沿いつつ内向きに折り畳まれて前面２及び後面３との間に配置され、したがって包装袋１は扁平状をなしている。なお、側面４はガセットとして機能する。
【００１０】
包装袋１の上端１Ｕ周りには、シール部分６が形成され、このシール部分６は縦方向Ｌに直交する横方向Ｔに拡がっている。図１に示される例では、シール部分６は包装袋１の一側縁７から他側縁８まで延びる熱シール部分から構成される。すなわち、シール部分６により前面２，後面３及び側面４が一体的に接合され、したがって包装袋１の上端が通気不能に封止される。なお、包装袋１の下端１Ｌは開放されている。
【００１１】
開放下端１Ｌを介して包装袋１内に複数の吸収性物品Ａが収容され、次いで下端１Ｌが例えば熱シールによって封止される。その結果、図３及び図４に示されるような包装品Ｐが形成される。包装品Ｐは直方体形状をなしており、頂面ＰＴ及び底面ＰＢ、並びに４つの側面ＰＳを有している。特に、図３に示される例では、包装品Ｐは縦長になっている。すなわち、包装品Ｐの高さＨＰが包装品Ｐの幅ＷＰ及び奥行きＤＰよりも大きい。言い換えると、包装品Ｐが縦長になるように包装袋１の寸法が設定されている。
【００１２】
また、図３に示される例では、吸収性物品Ａは横方向に並べて配置される。なお、包装袋１に吸収性物品Ａをどのように収容してもよい。
【００１３】
図３及び図４を参照しつつ図１を参照すると、包装袋１には、包装品Ｐの側面ＰＳを形成する筒状の側面部分９と、シール部分６と側面部分９との間に位置して包装品Ｐの頂面ＰＴを形成する頂面部分１０と、側面部分９の下方に位置して包装品Ｐの底面ＰＢを形成する底面部分１１と、が形成される。
【００１４】
この頂面部分１０には、ミシン目１２が形成される。ミシン目１２は図１に示されるように、包装袋１の一側縁７から他側縁８まで横方向Ｔに延びる基準線１３に沿って形成される。
【００１５】
図５に示されるように、ミシン目１２の中央部分１２Ｃの切断部分は、基準線１３に交互に逆向きの傾斜でもって交差するように延びている。これに対し、中央部分１２Ｃの両側に位置するミシン目１２の両側部分１２Ｓの切断部分は、基準線１３にほぼ平行に延びている。ここで、側面４が前面２及び後面３と重なっていない領域を非重なり領域１４と称すると、図５に示される例では、中央部分１２Ｃの幅は非重なり領域１４の幅よりも大きくされている。ただし、中央部分１２Ｃの幅は非重なり領域１４の幅とほぼ同じかこれよりも短くてもよい。
【００１６】
なお、ミシン目１２の切断部分は前面２から側面４を通過して後面３に到っている。
【００１７】
更に、ミシン目１２よりも下方の頂面部分１０に位置する前面２及び後面３にはそれぞれ、包装袋１の一側縁７周りから包装袋１の他側縁８周りまで横方向Ｔに延びる持ち手部材１５が取り付けられる。
【００１８】
各持ち手部材１５は、横方向Ｔに細長い帯状をなしており、包装袋１の一側縁７周り及び他側縁８周りにそれぞれ設けられた一対の取り付け領域１６を介して前面２及び後面３にそれぞれ取り付けられる。また、図５に示される例では、各取り付け領域１６は直角三角形状をなしており、下方に向かうにつれて包装袋１の中央から両側へ拡開する傾斜部分１７を含んでいる。これら傾斜部分１７は縦方向Ｌ及び横方向Ｔに対しそれぞれ、例えば約４５°傾斜している。
【００１９】
取り付け領域１６は例えば熱シール部分から構成することができる。この場合、熱シール部分は、持ち手部材１５と前面２との間と、持ち手部材１５と後面３との間とにそれぞれ形成される。なお、取り付け領域１６の角部は丸まっていてもよい。
【００２０】
包装袋１はプラスチックフィルムから構成される。プラスチックとして、例えばリニアローデンポリエチレン及びローデンポリエチレンを配合したもの、ポリプロピレン、ハイデンポリエチレンなどを用いることができる。なお、前面２，後面３及び側面４から構成される袋本体と、持ち手部材１５とを同一の材料から構成してもよいし、互いに別の材料から構成してもよい。
【００２１】
さて、上述したように、包装袋１に吸収性物品Ａを収容することによって直方体形状をなす包装品Ｐが形成される。この包装品Ｐの頂面ＰＴには一対の持ち手部材１５が設けられている。その結果、図６に示されるように、ユーザはこれら持ち手部材１５に手又は腕を掛けて、包装品Ｐを容易に持ち運ぶことが可能になる。
【００２２】
この場合、持ち手部材１５は包装品Ｐの側面ＰＳ上に存在せず、したがって側面ＰＳ上の情報が隠されることがない。
【００２３】
また、持ち手部材１５がシール部分６及びミシン目１２と重なっていないので、持ち運びの際に包装袋１が意図せず開封するのが阻止される。しかも、ミシン目１２の中央部分１２Ｃの切断部分が基準線１３に交互に逆向きの傾斜でもって交差するように延びているので、包装袋１の意図しない開封が更に確実に阻止される。
【００２４】
更に、取り付け領域１６が傾斜部分１７を有しているので、持ち手部材１５に手又は腕を掛けたときに、持ち手部材１５は容易に手又は腕の表面に対し平行になる。したがって、持ち手部材１５が広い面積でユーザに接触できるので、ユーザは容易に包装品Ｐを持ち運ぶことができる。すなわち、例えば包装袋１を打ち抜いて形成される指掛け穴の場合には、指掛け穴周りの包装袋がわずかな面積でユーザに接触するので、ユーザに痛みが生ずるおそれがある。
【００２５】
一方、吸収性物品Ａを包装品Ｐから取り出すべきときには、包装袋１がミシン目１２に沿って破断され、開封される。その結果、図７に示されるように、包装袋１に開口が形成される。この開口は包装品Ｐの横断面と同じであって大きく、したがって吸収性物品Ａを包装袋１から容易に取り出すことができる。この場合、ハサミ等の道具を用いることなく、包装袋１を容易に開封することができる。
【００２６】
しかも、開封された後の包装袋１が袋の形を維持することができる。したがって、包装袋１を例えばゴミ袋として、容易に再利用することができる。
【００２７】
また、開封後であっても、ユーザは持ち手部材１５に手又は腕を掛けて、包装品Ｐを容易に持ち運ぶことができる。このような考え方は従来存在していない。
【００２８】
図８及び図９に示されるように、包装袋１に追加のミシン目を設けることもできる。図８に示される例では、前面２に追加のミシン目２０が設けられる。この追加のミシン目２０は例えば上向きに凸状をなしている。追加のミシン目２０が破断されると、少なくとも１つの吸収性物品Ａを取り出すのに十分な大きさの開口が形成される。すなわち、ミシン目１２を破断することなく、吸収性物品Ａを取り出すことができる。なお、追加のミシン目２０を後面３のみ、又は前面２及び後面３の両方に設けてもよい。
【００２９】
図９に示される例では、前面２と側面４との間の折り目線５に沿って追加のミシン目３０が設けられる。この追加のミシン目３０は例えば、頂面部分１０のほぼ半分及び側面部分９のほぼ３／４にわたって延びている。図９に示される例でも、追加のミシン目３０が破断されると、少なくとも１つの吸収性物品Ａを取り出すのに十分な大きさの開口が形成される。すなわち、ミシン目１２を破断することなく、吸収性物品Ａを取り出すことができる。なお、追加のミシン目３０を複数個設けてもよい。あるいは、図８及び図９に示される追加のミシン目２０，３０両方を設けることもできる。
【００３０】
これまで述べてきた各実施例では、包装品Ｐが縦長になるように包装袋１の寸法が設定されている。しかしながら、包装品Ｐが横長の直方体形状、又は立方体形状になるように包装袋１の寸法を設定することもできる。
【００３１】
また、これまで述べてきた各実施例では、取り付け領域１６を構成する熱シール部分は、持ち手部材１５と前面２及び後面３との間にそれぞれ形成される。すなわち、取り付け領域１６は側面４とは分離している。あるいは、持ち手部材１５はそれぞれ、前面２のみの１シート部分及び後面３のみの１シート部分に取り付けられる。このため、包装袋１がミシン目１２に沿って破断されたときに、大きな開口が形成される。
【００３２】
これに対し、図１０に示されるように、取り付け領域１６を構成する熱シール部分を、持ち手部材１５、前面２、前面２に重なっている側面４の部分４Ｆとの間と、持ち手部材１５、後面３、後面３に重なっている側面４の部分４Ｒとの間とにそれぞれ形成してもよい。すなわち、この場合には、持ち手部材１５はそれぞれ、前面２及び側面４の２シート部分並びに後面３及び側面４の２シート部分に取り付けられる。
【００３３】
このようにすると、持ち手部材１５を包装袋１に強固に取り付けることができる。その結果、包装袋１を構成するプラスチックフィルムの厚さを小さくすることができ、したがって包装袋１の製造コストを低下することができる。
【００３４】
また、ユーザが持ち手部材１５に手を掛けて包装品Ｐを持ち上げたときに、前面２及び後面３が側面４に対しずれるのが抑制される。その結果、ユーザは包装品Ｐの側面ＰＳを上の情報が歪むのが抑制され、したがってユーザは情報を確実に読み取ることができる。すなわち、取り付け領域１６が側面４と分離していると、包装品Ｐが持ち上げられたときに前面２及び後面３が側面４に対しずれるおそれがあり、この場合、側面ＰＳ上の情報が歪んで読み取るのが困難になる。図１０に示される例では、このような歪みが抑制されている。
【００３５】
図１１は、持ち手部材１５が１シート部分に取り付けられる場合の取り付け領域１６の形成方法を示している。この場合、側面４の部分４Ｆと部分４Ｒとの間に断熱性を有する遮蔽板２１が配置され、前面２と部分４Ｆとの間に遮蔽板２２Ｆが配置され、後面３と部分４Ｒとの間に遮蔽板２２Ｒが配置される。次いで、持ち手部材１５がそれぞれ、前面２のみ及び後面３のみに、熱シールによって取り付けられる。なお、遮蔽板２１を省略することもできる。
【００３６】
図１２は持ち手部材１５が２シート部分に取り付けられる場合の取り付け領域１６の形成方法を示している。この場合、前面２と部分４Ｆとの間及び後面３と部分４Ｒとの間に遮蔽板２２Ｆ及び遮蔽板２２Ｒが配置されることなく、側面４の部分４Ｆと部分４Ｒとの間に遮蔽板２１が配置される。次いで、持ち手部材１５がそれぞれ、前面２及び部分４Ｆ並びに後面３及び部分４Ｒに、熱シールによって取り付けられる。
【００３７】
なお、これまで述べてきた本発明による実施例を互いに組み合わせることもできる。
【符号の説明】
【００３８】
１    包装袋
２    前面
３    後面
４    側面
６    シール部分
７    一側縁
８    他側縁
９    側面部分
１０    頂面部分
１２    ミシン目
１３    基準線
１５    持ち手部分
１６    取り付け領域
Ｐ    包装品
Ａ    吸収性物品
【図１】
0005791400.tif 000002
【図２】
0005791400.tif 000003
【図３】
0005791400.tif 000004
【図４】
0005791400.tif 000005
【図５】
0005791400.tif 000006
【図６】
0005791400.tif 000007
【図７】
0005791400.tif 000008
【図８】
0005791400.tif 000009
【図９】
0005791400.tif 000010
【図１０】
0005791400.tif 000011
【図１１】
0005791400.tif 000012
【図１２】
0005791400.tif 000013